(57)【特許請求の範囲】
【請求項１】
供給される番組信号に関し予め予約者の嗜好に基づいて得られた番組嗜好情報に従って番組予約を行い、その予約された番組信号を記録する番組信号の記録方法であって、
予め前記番組嗜好情報に基づいて得られた画像テキスチャ情報が記録される番組信号に含まれているかを認識する第１のステップと、
その第１のステップで認識された画像テキスチャの情報量と、予め設定された所定の画像テキスチャ情報量とを比較する第２のステップと、
その第２のステップで比較した結果、前記認識された画像テキスチャの情報量の方が小であるときは前記記録した番組信号を消去する第３のステップと、
を有してなることを特徴とする番組信号の記録方法。
【請求項２】
供給される番組信号に関し予め予約者の嗜好に基づいて得られた番組嗜好情報に従って番組予約を行い、その予約された番組信号を記録する番組信号の記録方法であって、
予め前記番組嗜好情報に基づいて得られた音声キーワード情報が記録される番組信号に含まれているかを認識する第１のステップと、
その第１のステップで認識された音声キーワードの情報量と、予め設定された所定の音声キーワード情報量とを比較する第２のステップと、
その第２のステップで比較した結果、前記認識された音声キーワードの情報量の方が小であるときは前記記録した番組信号を消去する第３のステップと、
を有してなることを特徴とする番組信号の記録方法。
【請求項３】
番組内容を記述した記述情報が付されて供給される番組信号に関し、予め予約者の嗜好に基づいて得られた番組嗜好情報に従って番組予約を行い、その予約された番組信号を記録する番組信号の記録方法であって、
予め前記番組嗜好情報に基づいて得られた前記記述情報が記録される番組信号に含まれているかを認識する第１のステップと、
その第１のステップで認識された記述情報と、予め前記番組嗜好情報に基づいて得られた記述情報との記述語数を比較する第２のステップと、
その第２のステップで比較して得られる共通の前記記述語数の方が少ないときには前記記録した番組信号を消去する第３のステップと、
を有してなることを特徴とする番組信号の記録方法。
【請求項４】
前記第３のステップにおける記録した番組信号の消去は、番組信号記録後の、予め設定された時間を経過した番組に対して行われることを特徴とする請求項１〜３のいずれか一項に記載の番組信号の記録方法。
【請求項５】
前記第３のステップにおける記録した番組信号は、番組信号の記録後の視聴時に、前記番組信号の消去に係る禁止操作がなされなかったときは、前記番組信号の視聴終了後に前記番組信号の消去を行うようになしたことを特徴とする請求項１〜３のいずれか一項に記載の番組信号の記録方法。
【請求項６】
前記第３のステップにおける記録した番組信号の記録後の視聴時に、前記番組信号の消去に係る禁止操作がなされた操作情報、または消去に係る禁止操作がなされなかった動作に係る操作情報を基にして、前記予め予約者の嗜好に基づいて得られた番組嗜好情報に、前記番組信号から検出された番組嗜好に係る情報のレベルを高める、または検出された番組嗜好に係る情報のレベルを低めるようにして、前記番組嗜好情報の更新処理を行うことを特徴とする請求項１〜３のいずれか一項に記載の番組信号の記録方法。
【請求項７】
前記番組信号は、予め設定されたカテゴリ毎の信号として供給されることを特徴とする請求項１〜３のいずれか一項に記載の番組信号の記録方法。
【請求項８】
前記カテゴリは、予め、又は前記番組信号と共に供給される番組情報であり、前記予約された番組信号の記録はユーザが指定したカテゴリ、前記番組嗜好情報を基にして選定されたカテゴリ、所定時間以上視聴された番組の番組情報により選定されたカテゴリ、又は過去の番組記録実績により選定されたカテゴリであることを特徴とする請求項７記載の番組信号の記録方法。
【請求項９】
放送番組のうち、所定の嗜好レベルの番組を記録番組として記録する記録側と、その記録側と伝送路により結合され、前記記録番組を操作者の番組嗜好情報に基づいて前記記録番組の消去用の制御信号を生成するサービス提供側との間における記録番組制御信号の伝送方法であって、
前記サービス提供側は、前記伝送路を介して得た前記番組嗜好情報に基づく画像テキスチャ、音声キーワード、又は前記記述情報の少なくとも１つが前記記録番組に含まれているかを認識する第１のステップと、
その第１のステップにより認識された前記画像テキスチャ、音声キーワード、又は記述情報のレベルが、予め前記番組嗜好情報を基にして設定された所定のレベル以下であるときは、前記記録番組を消去するための番組消去用の制御信号を生成する第２のステップと、
を有して前記生成された制御信号を前記記録側に伝送するようにしたことを特徴とする記録番組制御信号の伝送方法。
【請求項１０】
前記第２のステップにおける番組消去信号は、前記記録側にて番組の記録がなされ、且つ前記記録側により予め設定された、記録後の所定時間を経過した前記記録番組に係る消去用信号であることを特徴とする請求項９記載の記録番組制御信号の伝送方法。
【請求項１１】
前記番組嗜好情報は、前記記録側にて前記記録番組が視聴され、その記録番組の消去に係る消去禁止操作がなされたときは、前記サービス提供側で、前記記録側より消去禁止操作に係る操作情報を得ると共に、前記操作者の番組嗜好情報に、前記消去禁止操作がなされた番組信号より検出される番組嗜好情報を追加するようにして、前記番組嗜好情報の更新処理を行うことを特徴とする請求項９記載の記録番組制御信号の伝送方法。
【請求項１２】
前記第３のステップにおける前記制御信号は、前記番組を放送する放送側が放送のために用いる伝送路と同一の伝送路を用いて伝送することを特徴とする請求項９記載の記録番組制御信号の伝送方法。
【発明の詳細な説明】
【０００１】
【発明の属する技術分野】
本発明は、ユーザの番組嗜好情報に基づいて放送される所定の番組を録画、ないしは録音するための番組予約に関するもので、特に記録を開始した番組が所定の条件を満たしていないときはそれを消去する番組信号の記録方法、及び記録番組制御信号の伝送方法に関する。
【０００２】
【従来の技術】
従来よりアナログ方式によるテレビジョン放送が行われているが、それにＢＳ放送、ＣＳ放送も行われる等放送チャンネル数は増加傾向にある。そして最近になり、ＢＳデジタル放送も開始され、２００３年には地上波デジタル放送も開始されるべく準備が進められている。
【０００３】
そのデジタル放送は、映像信号をＭＰＥＧ−２方式により圧縮符号化を行い、効率の高いデジタル変調方式を用いて放送を行うため、１チャンネルのアナログＴＶ放送帯域を用いてデジタル３チャンネルの放送がなされるなど、放送チャンネルは更に増加される。
【０００４】
そのような中で、放送サービスを受信する視聴者は受信されるチャンネルを頻繁に切り替えながら興味を持つ番組を探し当てて視聴する、いわゆるチャンネルホッピングがなされながら受信され、視聴者の希望する番組が探し当てられ、その探し当てられた番組の視聴が継続されるのが通例である。
【０００５】
しかし、その場合は希望する番組が探し当てられるまでの最初の部分が受信されないこととなり、番組を録音、録画するためのチャンネル検索としては好ましくなく、記録を目的とする番組は新聞、あるいは雑誌の番組表を見ながら番組内容を予め把握し、そのチャンネルの番組を記録すべくＶＴＲ等にそのチャンネルの番組記録の予約を行なうようにされている。
【０００６】
このようにして、受信チャンネル数は年々増加傾向にあり、実際に受信可能な放送チャンネルの全ての番組を調査して、記録すべき番組を選択するのにはかなりの時間を要するため、希望する番組のサーチを簡便に行える方法の実現が求められている。
【０００７】
放送局側でも、受信者にそのような番組検索の便宜を図るためＥＰＧ（Electric Program Guide）情報を放送周波数帯で、あるいは副搬送波を用いる付加情報チャンネルでコード情報として放送することにより放送受信者側で番組検索が出来るような工夫を行っている。
【０００８】
しかし、このように多種多様の番組情報提供メディアで供給される情報が用いられて、家庭における番組検索が簡易になされるためには、更に検索情報の統合化、提供フォーマットの統一、及び番組検索用キーワードの大衆化など多くの課題を解決するなどにより、視聴者に優しい番組検索システムを構築する必要がある。
【０００９】
そのための、視聴者が興味をもつであろうテレビ番組をチャネル案内リストから自動的に探し出すことを目的とし、ユーザの好みに関する基準を満たす特定のテレビ番組を自動的に探し出す方法、及びそのサーチが完了したときにそのテレビ番組のリストを生成する方法が特開平９−２００６３８号公報「テレビジョン受信装置用の予測エージェントを使用するスケジューラ装置及びその方法」に開示されている。
【００１０】
そして、その方法は、将来送信されるテレビ番組の少なくとも番組タイトル情報が前もって送信されてチャネル案内リストの構成されるテレビジョンシステムにおいて、視聴者が興味を持つと思われる番組を予測する方法、及びユーザが過去に視聴したテレビ番組に関する情報を上記サーチの基準として格納しておき、そのサーチ基準をユーザが編集できるようにしたスケジューラ装置として用いられる番組検索方法について述べている。
【００１１】
【発明が解決しようとする課題】
しかしながら、上記の従来の番組予測エージェント方式では、視聴者の番組視聴の好みに関する基準を満足するテレビ番組を自動的に検索する機能を、あらかじめテレビジョンシステム、映像録画装置、又は音響信号録音装置が有していなければならない。
【００１２】
そして、そのような理想的な自動検索機能を有する番組検索システムは現在なお開発途上であり、またその機能を付加した受信装置、あるいは記録装置は時間の経過と共に検索エンジンが陳腐化してしまう、また将来の技術進歩を想定した検索エンジンを開発して搭載すると、その受信装置の価格が高くなってしまうなどの課題があった。
【００１３】
そこで、本発明は受信装置、記録装置、ないしは記録予約装置における目的番組の検索を、ユーザの番組記録実績、及び所定時間以上の番組視聴実績を基にユーザの番組嗜好情報を抽出し、その抽出された番組嗜好情報を基に新たな記録すべき予約番組情報を放送番組情報データベースより検索して得、その得られた予約番組情報を映像音声情報記録装置に伝送してその番組の記録を開始するようにすると共に、番組記録開始後の所定時間にその番組がユーザの嗜好する番組であるか否かの煩雑であり高価である解析処理を、伝送路を介して接続されるサービス提供者側で行なうようにし、サービス提供者側ではユーザの側で記録した番組の解析を行い、解析して得たユーザ側で記録した番組の嗜好レベルが低いレベルであるとされるときは、サービス提供者側よりユーザ側にその記録した番組を消去するための信号を伝送することによりユーザ側では、経済的な負担を少なくすると共によりユーザの嗜好レベルに合致する嗜好の高い番組のみが記録されて保存されるようにした。
【００１４】
そして、その記録された番組は、記録後所定の時間を経過したものに対して自動的に消去を行なうようにすると共に、その番組に削除キャンセル信号を付加するようにし、削除キャンセル信号の付加されている番組信号の削除は行わないようにするなど、映像音声情報記録装置には常に嗜好レベルの高い番組が記録される映像音声情報の記録システムを実現するようにしたものである。
【００１５】
【課題を解決するための手段】
本発明は、上記課題を解決するために以下の１）〜１２）の手段より成るものである。
すなわち、
【００１６】
１）  供給される番組信号に関し予め予約者の嗜好に基づいて得られた番組嗜好情報に従って番組予約を行い、その予約された番組信号を記録する番組信号の記録方法であって、
予め前記番組嗜好情報に基づいて得られた画像テキスチャ情報が記録される番組信号に含まれているかを認識する第１のステップ（２２）と、
その第１のステップで認識された画像テキスチャの情報量と、予め設定された所定の画像テキスチャ情報量とを比較する第２のステップ（２５）と、
その第２のステップで比較した結果、前記認識された画像テキスチャの情報量の方が小であるときは前記記録した番組信号を消去する第３のステップ（２７）と、
を有してなることを特徴とする番組信号の記録方法。
【００１７】
２）  供給される番組信号に関し予め予約者の嗜好に基づいて得られた番組嗜好情報に従って番組予約を行い、その予約された番組信号を記録する番組信号の記録方法であって、
予め前記番組嗜好情報に基づいて得られた音声キーワード情報が記録される番組信号に含まれているかを認識する第１のステップ（２１）と、
その第１のステップで認識された音声キーワードの情報量と、予め設定された所定の音声キーワード情報量とを比較する第２のステップ（２５）と、
その第２のステップで比較した結果、前記認識された音声キーワードの情報量の方が小であるときは前記記録した番組信号を消去する第３のステップ（２７）と、
を有してなることを特徴とする番組信号の記録方法。
【００１８】
３）  番組内容を記述した記述情報が付されて供給される番組信号に関し、予め予約者の嗜好に基づいて得られた番組嗜好情報に従って番組予約を行い、その予約された番組信号を記録する番組信号の記録方法であって、
予め前記番組嗜好情報に基づいて得られた前記記述情報が記録される番組信号に含まれているかを認識する第１のステップ（２３）と、
その第１のステップで認識された記述情報と、予め前記番組嗜好情報に基づいて得られた記述情報との記述語数を比較する第２のステップ（２５）と、
その第２のステップで比較して得られる共通の前記記述語数の方が少ないときには前記記録した番組信号を消去する第３のステップ（２７）と、
を有してなることを特徴とする番組信号の記録方法。
【００１９】
４）  前記第３のステップにおける記録した番組信号の消去は、番組信号記録後の、予め設定された時間を経過した番組に対して行われることを特徴とする１）〜３）項のいずれか一項に記載の番組信号の記録方法。
【００２０】
５）  前記第３のステップにおける記録した番組信号は、番組信号の記録後の視聴時に、前記番組信号の消去に係る禁止操作がなされなかったときは、前記番組信号の視聴終了後に前記番組信号の消去を行うようになしたことを特徴とする１）〜３）項のいずれか一項に記載の番組信号の記録方法。
【００２１】
６）  前記第３のステップにおける記録した番組信号の記録後の視聴時に、前記番組信号の消去に係る禁止操作がなされた操作情報、または消去に係る禁止操作がなされなかった動作に係る操作情報を基にして、前記予め予約者の嗜好に基づいて得られた番組嗜好情報に、前記番組信号から検出された番組嗜好に係る情報のレベルを高める、または検出された番組嗜好に係る情報のレベルを低めるようにして、前記番組嗜好情報の更新処理を行うことを特徴とする１）〜３）項のいずれか一項に記載の番組信号の記録方法。
【００２２】
７）  前記番組信号は、予め設定されたカテゴリ毎の信号として供給されることを特徴とする１）〜３）項のいずれか一項に記載の番組信号の記録方法。
【００２３】
８）  前記カテゴリは、予め、又は前記番組信号と共に供給される番組情報であり、前記予約された番組信号の記録はユーザが指定したカテゴリ、前記番組嗜好情報を基にして選定されたカテゴリ、所定時間以上視聴された番組の番組情報により選定されたカテゴリ、又は過去の番組記録実績により選定されたカテゴリであることを特徴とする７）項記載の番組信号の記録方法。
【００２４】
９）  放送番組のうち、所定の嗜好レベルの番組を記録番組として記録する記録側と、その記録側と伝送路により結合され、前記記録番組を操作者の番組嗜好情報に基づいて前記記録番組の消去用の制御信号を生成するサービス提供側との間における記録番組制御信号の伝送方法であって、
前記サービス提供側は、前記伝送路を介して得た前記番組嗜好情報に基づく画像テキスチャ、音声キーワード、又は前記記述情報の少なくとも１つが前記記録番組に含まれているかを認識する第１のステップ（２２、２１、２３、４０ａ）と、
その第１のステップにより認識された前記画像テキスチャ、音声キーワード、又は記述情報のレベルが、予め前記番組嗜好情報を基にして設定された所定のレベル以下であるときは、前記記録番組を消去するための番組消去用の制御信号を生成する第２のステップ（２７、４０ａ）と、
を有して前記生成された制御信号を前記記録側に伝送するようにしたことを特徴とする記録番組制御信号の伝送方法。
【００２５】
１０）  前記第２のステップにおける番組消去信号は、前記記録側にて番組の記録がなされ、且つ前記記録側により予め設定された、記録後の所定時間を経過した前記記録番組に係る消去用信号であることを特徴とする９）項記載の記録番組制御信号の伝送方法。
【００２６】
１１）  前記番組嗜好情報は、前記記録側にて前記記録番組が視聴され、その記録番組の消去に係る消去禁止操作がなされたときは、前記サービス提供側で、前記記録側より消去禁止操作に係る操作情報を得ると共に、前記操作者の番組嗜好情報に、前記消去禁止操作がなされた番組信号より検出される番組嗜好情報を追加するようにして、前記番組嗜好情報の更新処理を行うことを特徴とする９）項記載の記録番組制御信号の伝送方法。
【００２７】
１２）  前記第３のステップにおける前記制御信号は、前記番組を放送する放送側が放送のために用いる伝送路と同一の伝送路を用いて伝送することを特徴とする９）項記載の記録番組制御信号の伝送方法。
【００２８】
【発明の実施の形態】
以下、本発明の番組信号の記録方法、及び記録番組制御信号の伝送方法の実施の形態につき、好適な実施例により説明する。
図１は、その番組信号の記録方法、及び記録番組制御信号の伝送方法の実施例に関り、映像音声情報の記録システムの概略ブロック図であり、その構成と動作について概説する。
【００２９】
同図に示す第１の実施例による映像音声情報の記録システムは、ユーザインタフェース１１、表示器１２、記録再生機１３、嗜好情報発生器１４、及び予約器１５よりなる記録部１０と、音声キーワード認識器２１、画像テクスチャ認識器２２、保持削除パラメータメモリ２５、及び削除器２７よりなる記録情報消去部２０と、番組検索器３１よりなる番組検索部３０と、個人嗜好情報データベース４１、番組情報データベース４２、放送受信機４３、詳細番組情報データベース４４、及びＥＰＧ（Electronic Program Guide：電子番組案内）受信機４５よりなるデータベース部４０と、ユーザの記録した番組の消去サービスを行うサービス業者４０ａとより構成される。
【００３０】
そして、記録部１０、記録情報消去部２０、番組検索部３０、データベース部４０はデータバス５０に、またそのデータバス５０にはサービス業者４０ａが直接的に、または図示しないネットワークを介して接続されている。
【００３１】
このように接続され、構成される映像音声情報の記録システムは、記録を希望する番組の嗜好情報を表示器１２に表示されるオンスクリーン画面を、キーボード、ポインティングデバイス等を用いて対話的に操作させることにより生成し、その生成された嗜好情報に基づいて得られた予約信号を基にコンテンツの記録を行う。
【００３２】
そして、その記録されたコンテンツは、その特徴が抽出され、その抽出された結果に応じて、嗜好度の小さな録画コンテンツはその消去を行い、嗜好度の大きなコンテンツのみの記録が残されるようになされる番組信号記録システムであり、以下その動作について述べる。
【００３３】
まず、コンテンツの記録再生を行う記録再生機１３はビデオテープ、ＤＶＤ−ＲＡＭ、ハードディスクなどの記録媒体を用いて映像信号を記録、再生する装置、ないしはコンパクトカセット、ＤＡＴ、ＣＤ−ＲＷ、ＭＤなどの記録媒体を用いて音楽信号を記録、再生を行う機能を有する装置である。
【００３４】
そして、その記録再生機１３にはユーザインタフェース１１、表示器１２、及び嗜好情報発生器１４が接続されており、その接続されるユーザインタフェース１１が操作されて記録の希望される映像番組の種類、音楽番組のジャンルなどの情報が表示器１２に表示されるオンスクリーン画面に基づいてキー操作、ポインティングデバイス等により入力され、その入力された情報は嗜好情報発生器１４に供給される。
【００３５】
その嗜好情報発生器１４では、供給された情報に基づいて番組予約記録を行うための嗜好情報が生成され、その生成された嗜好情報はデータバス５０に供給される。
【００３６】
そのデータバス５０に供給された嗜好情報は番組検索部３０の番組検索器３１に供給され、その番組検索器３１では供給された嗜好情報を基に番組情報データベース４２、又は詳細番組情報データベース４４に蓄積される番組データベースより目的とする番組情報を検索して得、その得られた番組情報はデータバス５０を介して、あるいは直接的に予約器１５に供給される。
【００３７】
その予約器１５では、供給された番組情報を基にその番組を記録するための番組予約記録設定が記録再生機１３に対してなされ、記録再生機１３では設定された予約時間が到来したときに、設定された放送番組の記録が行われる。
【００３８】
そして、記録される信号の一部はモニタ信号として分割して得られ、その得られた信号のうちの音声信号は音声キーワード認識器２１に供給されると共に、映像信号は画像テキスチャ認識器２２に供給される。
【００３９】
それらの画像テキスチャ認識器２２、及び音声キーワード認識器２１では後述の方法によりコンテンツに含まれる画像テキスチャ及び音声キーワードが認識され、その認識された画像テキスチャ、及び音声キーワードの内容は保持削除パラメータメモリ２５に供給される。
【００４０】
その保持削除パラメータメモリ２５では、認識された画像テキスチャ及び音声キーワードが予め記憶された嗜好レベルの高い番組の画像テキスチャ情報と比較され、目的とするコンテンツに関わるものであるかどうかが判断され、その判断された判断結果は削除器２７に供給される。
【００４１】
その削除器２７では、記録中のコンテンツが目的とするコンテンツに関わると判断されるときはそのまま放送番組の記録が継続されるが、認識された画像テキスチャ、及び音声キーワードの内容が予め記憶されたコンテンツの認識レベルよりも低いと判断されたとき、あるいは画像テキスチャ、又は音声キーワードが検出されないときは記録動作が中止され、その記録されたコンテンツの消去が行われる。
【００４２】
このようにして記録中のコンテンツの信号はモニタされ、所定時間経過するまでの画像テクスチャ及び音声キーワードが認識され、その認識された結果に応じてコンテンツの保存、又は削除の決定がなされ、削除が決定されたときは記録再生機１３において番組記録が予約されて記録された番組の最初の部分よりの消去が行われる。
【００４３】
次に、この様に構成され個人嗜好情報を基に、ネットワークに接続される番組情報データベースの検索を行うことにより目的とする番組予約記録を行う映像音声情報記録システムの各部の動作について更に述べる。
図２は個人嗜好情報信号を伝送するための嗜好情報伝送フォーマットを示したものである。
【００４４】
即ち、嗜好情報生成装置で生成される嗜好情報信号は６４ビットのシステムＩＤ（identification：識別）信号、６４ビットのユーザＩＤ信号、これらの信号全体のデータ量を示す１６ビットの全体データサイズ信号、伝送される嗜好情報の数を示す１６ビットの嗜好情報数信号、嗜好情報１、嗜好情報２、・・・、及び嗜好情報Ｎ（Ｎは自然数）の信号よりなっている。
【００４５】
そして、Ｎ個の嗜好情報のそれぞれは１６ビットの嗜好情報データサイズ、８ビットのコンテンツ種別コード１、８ビットのコンテンツ種別コード２、８ビットの嗜好データ数、その数に対応する嗜好データ、８ビットのキーワード数、及びその数に対応するキーワードよりなっている。
【００４６】
さらに、そのキーワードは８ビットのキーワード文字数と、その文字数に対応するキーワードの組み合わせによるデータとして伝送される。
図３に、そのようにして伝送される嗜好データのフォーマットを示す。
【００４７】
その嗜好データは、Ｎ種類の嗜好データよりなるときはそれぞれの嗜好データと、それらの嗜好データに対するそれぞれの嗜好度合いのＮ組のデータが順に伝送されるようになされている。
【００４８】
図４に、キーワードデータの伝送フォーマットを示す。
番組の説明、及び出演者などのＮ個のキーワードは、それぞれのキーワードに対して２バイトコードで漢字及びひらがなを表示できるキーワードの文字数と、その文字数によるキーワードのデータとが組とされ、Ｎ組のキーワードが順次伝送されるようになされている。
【００４９】
以上、順次伝送される個人嗜好情報信号の伝送フォーマットについて述べた。このようにして、数多くあるコンテンツの中より記録目的の番組は個人嗜好情報信号を基にして検索されるようになされている。
図５に、それらのコンテンツの種別の例を示す。
【００５０】
同図において、コンテンツの内容と、それを大分類するための種別コード１の関係を示している。
その種別コード１は１６進法で「０」から「Ｆ」までの定義がなされており「０」は未定義コンテンツ、「１」は映画、ドラマ、「２」はニュース等、「３」はショー関係、・・・、「Ｂ］はスペシャルなコンテンツ、「Ｃ」〜「Ｅ」は将来のための予約、「Ｆ」は利用者が個別に定義するコンテンツとされている。
【００５１】
このような種別コード１により大分類されたコンテンツはその中で中分類されるが、それを行うのが種別コード２である。
図６に、コンテンツを中分類する種別コード２の例について示す。
【００５２】
同図において、種別コード１の「１」として分類される映画、ドラマのコンテンツを中分類するための種別コード２と共に、その内容を１６進方で「０」から「Ｆ」までとして示してある。
【００５３】
即ち、「０」は一般的な映画、ドラマ、「１」は探偵もの、スリラー、「２」は冒険、西部劇、戦争もの、「３」はショー関係のもの、・・・、「８」は成人向け映画、ドラマ、「９」〜「Ｅ」は将来のための予約、「Ｆ」は利用者が個別に定義するコンテンツとされている。
【００５４】
図７に、種別コード１が「５」である子供、若年者向けコンテンツの種別コード２による内容の例を、図８に種別コード１が「７」である芸術、教育用コンテンツの種別コード２による内容の例を示す。
【００５５】
そして、種別コード１で「０」〜「Ｆ］として大分類されるコンテンツのそれぞれは種別コード２により各々が「０」〜「Ｆ］として中分類されるようになされており、さらに小分類、及びそれ以上の細分化は必要に応じて種別コード３、種別コード４を設けて行なうことができる。
【００５６】
このようなコンテンツの分類は、標準放送方式例えばＤＶＢ（Digital Video Broadcasting）、ＡＲＩＢ（Association of Radio Industries and Businesses）等の団体で規定するデジタル放送方式とほぼ同じ形式にすることにより、デジタル放送のＥＰＧ（Electronic Program Guide：電子番組案内）などと整合の取れた形式にされるのが好ましい。
【００５７】
次に、これらの種別コードの次に伝送される嗜好データについて述べる。
図９に、その嗜好データの内容を例示する。
同図において、嗜好コードは０〜２５５の２５６段階に分類されており、「１」をバイオレンス度、「２」を癒し度、・・・のように嗜好の種類が予め定められており、それらの嗜好の種類に対する度合いを０〜１００の度合いで示すようにし、その度合いの数が大きいほどその嗜好度合いが高く、その嗜好を希望していることを示すようにしてある。
【００５８】
この様になされる嗜好情報が番組検索部３０に伝送され、番組検索部３０ではデータベース部４０に蓄積される詳細番組情報の検索がなされるようにして目的とする番組情報の検索結果が得られる。
【００５９】
次に、その詳細番組情報データベースとして記憶される番組情報について述べる。
図１０に、詳細番組情報データベースに関る情報項目を例示する。
【００６０】
同図に示す情報項目は、詳細番組情報データベースに記憶される番組に関する情報を例示したものであり放送に関する予定、番組に関る人名、及び番組の特性等の情報項目が記述されている。
【００６１】
図１１に、その情報項目に関して詳細番組情報データベースに記憶される番組内容を例示する。
同図には、前述の図１０に示した情報項目に対応する番組内容情報が記されている。そして、このような情報項目、及びそれに対する番組内容情報はデータベース部を所有するアプリケーションサービスプロバイダにより情報の収集、及びデータベースの作成がなされる。
【００６２】
そして、その詳細番組情報データベースはこれらの情報項目、及び番組内容情報などが、例えばＨＴＭＬ（Hyper Text Markup Language：ハイパーテキスト記述言語）等により所定のフォーマットで記述され、ネットワーク５０を介して有料、又は無料にて公開されているものを利用する。
【００６３】
また、ここに例示した情報項目は前述の図９に示した嗜好コードを用いて表現してもよいが、その表現方法は番組情報蓄積装置が一般公開目的で用いられるような場合は数字を用いずに平易な用語で示し、この情報を直接アクセスして得るユーザに対して便利なようにするが、その表示方法を嗜好コードによるか、平易な用語を用いるかは自由である。
【００６４】
番組検索装置では、この様にして提供される番組情報蓄積装置のデータベースが用いられて番組予約装置より伝送された嗜好情報を基に目的とする番組情報が検索され、検索されて得られる嗜好番組信号は番組予約装置に伝送されるが、次にその嗜好番組信号の伝送フォーマットについて述べる。
【００６５】
図１２に、個人予約情報として伝送される嗜好番組信号のデータフォーマットを示す。
同図に示す嗜好番組信号は、番組予約装置を識別するための６４ビットのシステムＩＤ信号、ユーザの識別情報である６４ビットのユーザＩＤ信号、この嗜好番組信号データ全体のデータ量を示す１６ビットの全体データサイズ信号、録画（録音）情報１、録画（録音）情報２、・・・、及び録画（録音）情報Ｎ（Ｎは自然数）の信号よりなっている。
【００６６】
そしてそれぞれの録画（録音）情報は、８ビットの番組受信曜日、８ビットの放送識別コード、８ビットの番組チャンネル、それぞれが８ビットづつの番組開始時間の「時」、「分」、番組終了時間の「時」、及び「分」の各信号よりなっている。
【００６７】
また、その伝送される番組放送曜日は例えば、０が月曜日、１が火曜日、・・・、６が日曜日のように設定され、放送コードは、０が地上波アナログ放送、１がＢＳアナログ放送、２がＢＳディジタル放送、３が地上波ディジタル放送などのようになされている。
【００６８】
そして、番組チャンネルはそのチャンネル番号が直接指定されるようになされ、番組放送開始、終了時間情報は２４時間表示するときに用いられるその数字を直接記述するようにされている。
【００６９】
このようにして、嗜好番組信号のデータは番組検索装置より番組予約装置に伝送され、目的とされる番組が検索されて番組検索装置に嗜好番組信号として供給され、映像信号、ないしは音楽信号の記録装置はその嗜好番組信号を基として記録のための予約設定がなされ、その予約時間が到来したときにその目的とされる番組の記録がなされる。
【００７０】
しかし、その記録を行うための予約設定信号、及び個人嗜好情報はデータバスを介して結合されているが、そのデータバスはネットワークも含めて構成されているため、特に個人嗜好情報などの個人情報が第３者に知られて悪用されることを防ぐ必要がある。
【００７１】
そこで、嗜好情報発生器１４とデータバス５０との結合は図示しない暗号器を介して接続し、その暗号器では、嗜好情報信号は例えば共通鍵方式、ないしはよりセキュリティレベルの高い公開鍵方式により暗号化されてネットワーク５０に供給されるようにする。
【００７２】
そのときに、鍵のもとになる情報の一部にユーザＩＤを用いるようにすると、ユーザ一人一人の鍵の管理が行いやすく、個人の識別は前述の嗜好情報フォーマットのユーザＩＤを用いて識別することができる。
【００７３】
このようにして、ユーザＩＤの付される個人嗜好情報は番組情報データベース、ないしは詳細番組情報データベースに記憶される番組情報データを基にして番組検索器３１により目的とする番組情報が検索され、その検索されて得られた番組情報は予約器１５に供給される。
【００７４】
その番組検索器３１と予約器１５とがネットワーク５０を介して接続されるときは、上述と同様にして図示しない暗号化器を用い、ユーザＩＤを鍵とする暗号化を行ってセキュリティを確保しつつ伝送を行うようにする。
【００７５】
そして、その予約設定がなされる番組予約装置は、通常同一の番組予約装置より番組嗜好情報が伝送され、同一の装置により番組嗜好情報が受信されて記録機の設定がなされるが、これらの動作が異なる番組予約装置間で行われる場合もある。
【００７６】
その異なる場合は、例えば子供部屋に設置される番組予約装置より居間に設置されるホームサーバーに対する自動番組予約を行う場合であったり、さらに番組予約者が友達の所有する番組予約装置に対して自動番組予約を行う場合などである。
【００７７】
このようにして、番組予約装置を操作する予約者は、操作結果により得られる番組嗜好情報を自分以外の利用者が管理する番組予約装置に対して伝送されるように、その利用者のＩＤ識別番号を、又はその番組予約装置に関わるＩＤ識別番号を指定して操作を行うことにより、検索されて得られる番組予約記録情報は複数の番組予約装置に供給されることも可能である。
【００７８】
以上、第１の実施例による映像音声情報の記録システムの構成とその動作について述べた。
即ち、第１の例では、番組記録が予約されて記録された番組の画像テキスチャ、及び音声キーワードを用いて記録した番組の嗜好度合いを判定し、嗜好度合いの低い番組は消去することにより、嗜好度の高い番組のみを記録媒体に記録する記録システムについて述べた。
【００７９】
次に、そのような嗜好度の高い番組を記録するための第２の実施例による映像音声情報の記録システムの構成とその動作について述べる。
図１３に、情報タグ検出器を用いた映像音声情報の記録システムの構成を示す。
【００８０】
同図における映像音声情報記録システムは、前述の図１に示す映像音声情報記録システムが記録する番組の嗜好度合いを画像テキスチャ認識器２２、及び音声キーワード認識器２１を用いて番組情報の認識を行っているが、第２の例による映像音声情報記録システムでは情報タグ検出器２３で検出した情報タグを用いて番組情報の認識を行っている。
【００８１】
その情報タグとは、番組という情報コンテンツの伝送を、情報コンテンツをパッケージにし、そのパッケージに荷札が付けられて伝送されるが、その荷札に記されるコンテンツの内容を情報タグと呼んでいる。
【００８２】
ここで、情報タグに記載される情報の種類、及び内容などに関する記述は自由であるが、その中に含まれるキーワードの出現率、そのワードの重み付けを示す数字情報などにより番組の内容の把握が可能とされるものである。
【００８３】
このようにして、前述の第１の例における記録情報消去部２０に対する第２の例の記録情報消去部２０ａは情報タグ検出器２３で検出した情報タグを保持削除パラメータメモリ２５に供給し、その保持削除パラメータメモリ２５では検出された情報タグにより記録番組の嗜好度合いを認識し、その認識度合いにより削除器２７に記録した番組の消去を行うための信号を供給するようにしている。
【００８４】
そして、記録される番組の嗜好度合いが低い場合は記録する番組の削除を行うが、その他の構成、及び動作は第１の例で述べた映像音声情報の記録システムと同様である。
【００８５】
以上、画像認識、音声認識、及び情報タグを用いて番組の嗜好度合いを判定し、嗜好度合いの低い番組については記録した番組を削除する方法について述べたが、次にその番組削除の方法について更に述べる。
図１４に、嗜好レベルの低い番組を削除する機能を搭載した映像音声情報の記録システムのブロック図を示す。
【００８６】
同図に示す第３の実施例による映像音声情報の記録システムは、前述の図１に示した第１の実施例による映像音声情報の記録システムと同様に構成されるが、記録情報消去部２０ｂは音声キーワード認識器２１、画像テクスチャ認識器２２、ＣＰＵ（Central Processing Unit）２４、保持削除パラメータメモリ２５、タイマー２６、及び削除器２７よりなっている点で異なっている。
【００８７】
そして、このように構成される映像音声情報の記録システムは、予約器１５により番組の記録予約がなされ、記録再生機１３によりその番組の記録がなされたときに、記録再生機１３はタイマー２６に対してその記録に係る情報を供給するが、その動作に係り前述の第１の実施例による映像音声情報の記録システムと異なる記録番組の消去動作を行う。
【００８８】
その記録信号の消去に係る時間の管理はタイマー２６によりなされ、そのタイマー２６は、予め設定された所定の時間経過後にその記録信号を消去するための計測を開始し、例えば数日を経過したときにその番組を消去するための信号を生成してＣＰＵ２４に供給する。
【００８９】
そのＣＰＵ２４では、記録された番組に係り、記録番組の消去を中止するための操作がなされているか否かに係る情報をユーザインタフェース１１より得、上記記録した番組が通常速度による視聴、ないしは早送りと通常再生を繰り返して番組の内容を飛ばし見するような間欠再生視聴がなされているにも拘らず、番組の削除を禁止するための操作がなされていないときは、その削除キャンセル操作のなされていない記録番組に係る削除のための信号を生成して削除器２７に供給する。
【００９０】
その削除器２７では、その削除信号を基に、保持削除パラメータメモリ２５より供給される嗜好度が所定値に満たない番組信号を削除するための信号を記録再生器１３に供給し、記録再生機１３では該当する番組信号の消去が行われる。
【００９１】
以上のようにして、画像テキスチャ認識器２２、ないしは音声キーワード認識器２１により認識された認識レベルの低い記録番組に対し、所定の期間内に視聴されて得られたユーザインタフェースの記録番組の保存に係る操作がなされなかったときに、その記録した番組が消去される動作について述べた。
【００９２】
そのような番組の消去動作は、第２の実施例で示した映像音声情報の記録システムにおいても同様に行なうことができる。
図１５に、情報タグ検出器を用いて嗜好レベルの低い番組を削除する機能を搭載した映像音声情報の記録システムのブロック図を示す。
【００９３】
同図に示す第４の実施例による映像音声情報の記録システムは、前述の図１３に示した第２の実施例による映像音声情報の記録システムと同様に構成されるが、記録情報消去部２０ｃは情報タグ検出器２３、ＣＰＵ２４、保持削除パラメータメモリ２５、タイマー２６、及び削除器２７より構成されている点で異なっている。
【００９４】
そして、このように構成される映像音声情報の記録システムは、前述の図１４に示した第３の実施例による映像音声情報の記録システムと同様な動作を行うが、
第３の実施例では画像テキスチャ認識器２２、ないしは音声キーワード認識器２１により認識された認識レベルの低い記録番組に対する記録番組の削除動作が行われるのに対し、第４の実施例では情報タグ検出器により検出された嗜好レベルの高くない記録番組に対して、所定の期間内に視聴されて得られたユーザインタフェースの記録番組の保存に係る操作がなされなかったときに、その記録した番組を消去するように動作する。
【００９５】
以上の様にして、嗜好レベルが放送番組を仮に記録して視聴する程度のレベルであるときは、記録した番組を例えば数日などの所定の期間保存しておき、その保存されている番組が視聴され、ないしは少なくとも間欠的に視聴され、ユーザによりその番組の保存に係る操作がなされなかったときは視聴後直ちに、または視聴後の所定の期間経過後に自動的に消去されるようにし、新たな番組を記録するための媒体記録領域の確保がなされる。
【００９６】
そして、所定の期間を過ぎたにも拘らず、番組の視聴がなされなかったときには、その時間切れに係リタイマー２６で生成された時間切れ信号はＣＰＵ２４に供給され、ＣＰＵ２４は表示器１２に対して記録番組の消去に係る情報を提示し、ユーザからの保存に係る操作がユーザインタフェース１１に対してなされない場合はその記録した信号の削除を実行する。
【００９７】
その、タイマー２６が計測する時間は、上記の様に予め設定される所定の時間により計測する方法の他に、ユーザが記録された番組毎に所定の保存期間を設定できる様にし、ユーザにより設定された保存期間内に特に期間延長などの操作がなされない限りその記録された番組の消去が行なわれるようにする方法によってもよい。
【００９８】
さらに、ユーザにより保存期間が設定されない記録番組の場合で、嗜好レベルが高くない番組は、予め設定されている保存期間を待つことなくその番組を消去する。
【００９９】
このようにして、嗜好レベルが所定のレベル以下であり、ユーザにより保存期間の設定操作がなされない番組は削除動作停止のための削除キャンセル信号の付加されない番組であるとみなし、その記録された番組、ないしは記録されたコンテンツの消去を行う。
【０１００】
このようにして、予め個人嗜好情報データベース４１に記憶された個人嗜好情報を基に検出され、記録された番組に対する削除キャンセル信号の付与がなされないことは、ユーザのその番組に対する嗜好レベルが想定されたレベルよりも低いからであり、そのような想定値と異なる嗜好レベルを示す番組により抽出された個人情報の嗜好レベルを低い値として更新することによリ、個人嗜好情報を用いる嗜好番組の検出精度をよりユーザの嗜好レベルと一致させたものとすることができる。
【０１０１】
そのような個人情報の嗜好レベルに係る更新は、ＣＰＵ２４よりユーザインタフェース１１に嗜好情報の更新を行うか否かをユーザに対して問い合わせ、ユーザにより更新に係る操作がなされたときは、データバス５０を介し、その番組に係る削除キャンセル信号の付与がなされなかったことをサービス業者４０ａ側に伝送し、サービス業者側では供給された情報を基に嗜好番組を抽出するためのフィルタリング特性の更新を行なうことが出来、よりユーザの嗜好するコンテンツを検出して記録が行われるようにするものである。
【０１０２】
一方、記録された番組に対し、ユーザにより長期の保存期間が設定される番組の場合は、ユーザがその番組に対して高い嗜好レベルを示すことを示しており、削除キャンセル信号の生成された番組により認識されている画像テキスチャ、ないしは音声キーワード、または検出されている情報タグは嗜好レベルの高いコンテンツに対する個人嗜好情報であるので、そのような個人嗜好情報は上記と同様にデータバス５０を介してサービス業者４０ａ側に伝送されることにより、サービス業者４０ａ側ではその供給された情報を基に個人嗜好情報データベースに記憶される個人嗜好情報の更新が行われ、ユーザ側で記録されたより嗜好レベルの高いコンテンツはそのまま蓄積されるようになされるものである。
【０１０３】
以上のようにして、番組予約がなされて記録された番組は画像テキスチャ、音声キーワード、ないしは情報タグによりその番組の嗜好度合いが認識され、記録番組の消去、ないしは記録番組の消去中止操作を行うことによリ個人嗜好情報データベースの更新、及び検出レベルの向上を行う方法について述べた。
次に、それらの画像テキスチャ、音声キーワード、及び情報タグによる認識の方法について更に述べる。
【０１０４】
まず、画像テキスチャを認識して番組の嗜好度合いを判定する方法について述べる。
図１６に画像テクスチャ認識器の構成を示し、その動作について述べる。
【０１０５】
この画像テクスチャ認識器２２はヘッダ検出器２２１、ＶＬＣ（ＦＬＣ）復号器２２２、ＤＣ値、ＡＣ値、動きベクトル値検出器２２３、輪郭検出器２２４ａ、周波数帯検出器２２４ｂ、色検出器２２４ｃ、動き量検出器２２４ｄ、画像特徴データベース２２５、特徴量比較器２２６、及び画像判別器２２７より構成される。
【０１０６】
このようにして構成される画像テキスチャ認識器２２には、例えばＭＰＥＧ−２（moving picture experts groupにより制定された国際標準）方式により圧縮符号化された画像圧縮データが供給され、供給された画像圧縮データはヘッダ検出器２２１に供給される。
【０１０７】
そのヘッダ検出器２２１では、符号化された画像信号データの最初にあるシーケンスヘッダと呼ばれる領域に記述される、画像信号の水平方向の画素サイズ、垂直方向の画素サイズ、画面アスペクト比率、フレームレート、及び伝送ビットレートなどのヘッダ情報のそれぞれの値を検出し、検出して得られたそれらの情報は画像特徴データベース２２５、及びＶＬＣ（ＦＬＣ）復号器２２２に供給される。
【０１０８】
そのＶＬＣ（ＦＬＣ）復号器２２２では、供給される情報がＶＬＣ（variable length coding：可変長符号化）されている場合はＶＬＣ復号を行い、固定長の構造である場合は供給されるＦＬＣ（fixed length coding：固定長符号化）された符号をそのまま得、得られた信号はＤＣ値、ＡＣ値、動きベクトル値検出器２２３に供給される。
【０１０９】
そのＤＣ値、ＡＣ値、動きベクトル値検出器２２３ではＭＰＥＧ−２方式に基づいてＤＣＴ（discrete cosine transform）された画像信号のＤＣ（直流）成分値、ＡＣ（交流）成分値、及び映像信号の動き補償に関わる動きベクトル値を検出し、それらの検出された信号値のそれぞれは輪郭検出器２２４ａ、周波数帯域検出器２２４ｂ、色検出器２２４ｃ、及び動き量検出器２２４ｄのそれぞれの検出器に供給される。
【０１１０】
これらの検出器の内、輪郭検出器２２４ａでは、映像信号の中で同一輪郭の形状を保ったまま移動する画像部分の輪郭が検出され、周波数帯域検出器２２４ｂではその画像部分の模様の細かさにより生じる周波数帯域幅が検出され、色検出器２２４ｃではその画像部分のＤＣ値に対する輝度信号、赤及び青の色信号の値が検出されて色成分が検出され、そして動き量検出器２２４ｄではその輪郭部分が画像の中で動く動きパターンが動き情報として検出され、このようにして検出されたそれぞれの検出結果は特徴量比較器２２６に供給される。
【０１１１】
その特徴量比較器２２６では、供給されたそれぞれの検出結果と、予め画像特徴データベースに記憶されている嗜好対象物に対するこれらの検出値と比較され、供給された画像圧縮データがどの程度嗜好対象物と一致しているかの比較が行われ、比較して得れれた比較結果は画像判別器２２７に供給される。
【０１１２】
その画像判別器２２７では音声キーワード認識器２１で認識された認識レベルが付加情報として供給され、その供給される付加情報の内容も参照されて画像判別が行われ、そのようにして得られた判別結果が画像判別結果として保持削除パラメータメモリ２５に供給されるようになされている。
【０１１３】
このようにして供給される判別結果は、嗜好度の高い番組をこの画像テクスチャ認識器２２により検出し、検出して得られる画像テキスチャに関わる検出結果を統計処理して得られる画像テキスチャデータは画像特徴データベースとして蓄積され、用いられるようになされている。
【０１１４】
その統計処理された画像特徴データベースのデータ値は、例えば嗜好対象物の画像サイズが変化すると相対的に画像の帯域が変化し、また伝送ビットレートが低く設定された信号として符号化された画像圧縮データは、そのビットレートの低くされた設定に応じて圧縮率の高い符号化がなされ、ＤＣＴ演算処理により得られるＤＣＴ係数の有効係数値（０でない係数値）もそれに応じて変化されるが、そのような変化分を除いたデータ値により構成される。
【０１１５】
そしてその変化分は、例えば特徴量比較器２２６にヘッダ検出器２２１により検出されたヘッダ信号が供給されるが、そのヘッダ信号に含まれる伝送ビットレートにより符号化された場合のテキスチャデータにおいても生じるため、その変化に応じて補正がなされ、補正処理のなされた検出結果は特徴量比較器２２６に供給される必要がある。
【０１１６】
このような補正を行うために、伝送ビットレートが変化したときの特徴量の値が特徴量比較器２２６に供給されるが、その特徴量の値は伝送ビットレートが同じである場合においても変化され、その変化は例えばフレームレート（毎秒画像枚数）が変化すると１フレームごとに与えられる符号量も変化されるため、フレームレートも画像特徴データベース値として蓄積される値を供給するときの補正に考慮する必要がある。
【０１１７】
そして、その画像特徴データベースとして蓄積されるデータ値は、様々なコンテンツに対し、これらの全てのパラメータの変化に対応してノーマライズ（標準化）された検出値が統計的に処理されてデータベース化され、整理された対象物の画像特徴として記憶される。
【０１１８】
その画像特徴の整理は、例えば情報メディア学会誌Ｖｏｌ．５４、Ｎｏ１２、１７４２〜１７４７（２０００）頁に「画像群の意味的な可視化表現を用いた画像検索システム」が記述されており、そのような特徴抽出システムを用いることも有効である。
【０１１９】
それは、例えば画面全体がパンニングしている場合などは、たとえ静止している物体であっても動きを伴う画像として認識されるので、動き量検出器２２４ｄより画面全体が一定方向に動いているとされる動き量が検出されるときは、そのグローバルな動き量を得られた検出結果より減じて得られる対象物の動きの差分を検出するようにする。
【０１２０】
そのようにして検出された対象物の輪郭は、その輪郭が存在する全画面の中の位置関係が中央であるか、端に近い場所であるかなどの情報も有効であるので、そのような画面位置情報を得られた輪郭の形状情報と共に検出し、蓄積するようにする。
【０１２１】
そして、その輪郭の形状は、そのエッジ部分の特徴が滑らかであるかシャープであるかなどを周波数帯域検出器２２４ｂから得られるＤＣＴ変換して得たＡＣ成分値を、ＭＰＥＧにおけるＤＣＴの８つの係数に対して与えられる有効係数の絶対値の特性としても検出するようにする。
【０１２２】
以上、ＭＰＥＧ−２方式で圧縮符号化されて得られる画像圧縮データに関して画像特徴データベース２２５に記憶される画像特徴値について述べたが、その符号化方式がＭＰＥＧ−１、ＭＰＥＧ−４などのＭＰＥＧ方式による場合の他、例えばサブバンド符号化、あるいはフラクタルを用いた符号化である場合であってもその符号化方式により符号化途中のデータを得ることができ、そのデータが画像の特徴を示す情報であれば圧縮符号化の方式によらなく、画像特徴データベースの生成が可能なものである。
【０１２３】
そして、ＭＰＥＧ−２と異なる圧縮符号化方式により検出されたデータがＭＰＥＧ−２による画像特徴データベースと共に蓄積されるとき、その画像特徴データベースの構成はデータベースのパラメータの最上位ビットは方式種別情報とすることになる。
【０１２４】
このようにして検出された特徴量データは特徴量比較器に供給され、画像特徴データベースに蓄積される様々なコンテンツの特徴データと比較され、嗜好レベルの高い目的とするコンテンツが存在していたかどうかの判別に用いられるが、次にその判断の精度を向上させるために音声キーワードを用いる場合について述べる。
【０１２５】
図１７に、音声キーワード認識器の構成を示す。
同図に示す音声キーワード認識器２１は、ヘッダ検出器２１１、ＶＬＣ（ＦＬＣ）復号器２１２、ＡＣ値、ＤＣ値検出器２１３、周波数特性検出器２１４、音圧検出器２１５、音声特徴データベース２１６、特徴量比較器２１７、及び音声判別器２１８より構成される。
【０１２６】
この様に構成される音声キーワード認識器２１は音声圧縮データが供給され、その供給されたデータより音声キーワードを検出し、嗜好レベルの高い音声特徴データベースと比較することにより嗜好レベルに応じた認識出力を音声判別結果として供給するものである。
【０１２７】
この認識器２１はＢＧＭ（back ground music）的な音の特性、及び話し言葉である音声の両方を検出する。
次に、そのようにして行われる音声キーワード認識器２１の動作について述べる。
【０１２８】
まず、記録再生機１３で記録される、例えばＭＰＥＧ方式により圧縮符号化のされた音声圧縮データはヘッダ検出器２１１に供給され、ここでは圧縮符号化された音声データ部分に前置される符号化信号のサンプリング周波数、チャンネル数、ビットレート、コーディングモードなどの符号化パラメータであり、固定長のデータ構造であるヘッダ情報が検出される。
【０１２９】
その検出された符号化パラメータは音声特徴データベース２１６に供給され、そこにデータベースとして蓄積される統計的にノーマライズされた多くのコンテンツ情報に、前記供給されたヘッダ情報に基づいて所定の条件が与えられた音声データとして生成され、その生成された音声データが後述の特徴量比較器２１７に供給されると共に、ヘッダ情報及びそれに続く音声データ部分はＶＬＣ（ＦＬＣ）復号器２１２に供給され、そこで可変長符号化されたデータの復号がなされる。
【０１３０】
そのＶＬＣ（ＦＬＣ）復号器２１２で可変長符号化されたデータ部分が可変長復号され、固定長構造のデータとされた音声データはＡＣ値、ＤＣ値検出器２１３に供給され、ここでは音声データの内の交流成分と直流成分とが検出され、それらの検出された交流成分データは周波数特性検出器２１４に、又直流成分データは音圧検出器２１５に供給される。
【０１３１】
そして、周波数特性検出器２１４では音声データの固有の周波数特性が特性データとして得られ、また音圧検出器２１５では音声データの音圧レベルが音圧レベルデータとして得られる。
【０１３２】
このようにして得られた特性データ、及び音圧レベルデータは音声の圧縮符号化が、サブバンド方式、ないしはＤＣＴ方式が用いられて得られたものであるが、符号化して得られるデータの次数は画像を圧縮符号化するときの次数とは異なり、例えば３８４サンプル、ないしは１１５２サンプルと非常に大きな値が用いられる。
【０１３３】
従って、圧縮符号化のなされた音声信号では、その符号化して得られたデータを用いて供給される音声信号の詳細な周波数特性のデータを解析データとして得ることが出来るため、供給される音声信号の認識に都合がよい。
【０１３４】
このようにして、周波数特性検出器２１４より得られた音声の固有の周波数特性、及び音圧検出器２１５より得られた音声の音圧レベルデータが特徴量比較器２１２に供給され、それらの供給されたデータは前述の音声特徴データベース２１６より供給されるヘッダ信号で補正された音声特徴データベースのデータに対して、嗜好度の高い固有の特性を有する音声信号に一致するものがあるかどうか比較される。
【０１３５】
その固有の特性を蓄積する音声特徴データベースには、予め嗜好度の高いのコンテンツにおける典型的な音声特性のパターンが予め多数求められて、蓄積されており、それらのパターンが音声特徴データベースとして用いられ、特徴量比較器２１７では供給される音声データの音圧レベル、及び周波数特性がこれらのデータベースと比較され、その比較された結果によりキーワードに対応した音が存在していたか否かが検査される。
【０１３６】
その特徴量比較器２１７で検査されて、得られる特徴量比較信号は音声判別器２１８に供給され、その音声判別器２１８では、例えば画像テキスチャ認識器２２より得られる認識信号などの嗜好度合いを決定するために参考となる付加情報をも参照して、嗜好音声キーワードデータが含まれるかどうかが認識され、その判別された認識データは音声判別結果として音声キーワード認識器２１より供給される。
【０１３７】
このようにして、音声キーワード認識器２１より認識された音声判別結果が供給されるが、その音声判別結果にはＢＧＭ的な音、及びそれ以外のアナウンサ、ナレータ、出演者の音声もあり、その音声に含まれるキーワードの検出は、図示しないいわゆる話し言葉の音声認識技術が用いられて検出され、そのキーワードに対応した音声が存在していたかどうかの結果が出力信号として供給される。
【０１３８】
以上、嗜好レベルの高い番組を認識するためのキーワードに対する画像テクスチャの認識、及び音声キーワードの認識について述べたが、現段階ではこれらの認識による判断結果に曖昧な部分が含まれ易いため、他の手段による判断結果を参考情報として用い、その参考情報をも基としてキーワード認識を行うための付加情報として供給するようにしている。
【０１３９】
その付加情報は前述のように他方の認識器の認識情報を使用する方法、ないしはこの映像音声情報の記録装置以外から供給される他の文字放送情報、ないしは付加情報であっても良く、又そのような付加情報の信号を供給しない方法であってもよい。
【０１４０】
以上、画像テキスチャ、及び音声キーワードによる嗜好レベルの認識方法について述べたが、次にその番組嗜好情報を供給するための手段として用いられる付加情報の１つである情報タグを用いる方法について述べる。
【０１４１】
その情報タグは、例えばコンテンツデータのヘッダに予め分類したカテゴリに相当する分類コードを用い、そのコンテンツがそのカテゴリ情報を含むときはそのコードを前述のヘッダに書き込むようにしてその分類コードを挿入するものである。
【０１４２】
即ち、コンテンツの分類を２５６個に分けたとするとき、その分類番号を８ビットのコードを用いて複数個書き込めるようにして記述するが、次にその分類コード情報の記述方法について述べる。
【０１４３】
図１８に、その情報タグを記述するためのシンタックスを示す。
即ち、▲１▼情報タグのスタートコードは、例えば１６進法で０ｘｆｆｆｆ００００ｂｆｂｆｂｆｂｆとして与えられ、このコードにより情報タグの先頭位置の特定が行われる。
【０１４４】
次に、▲２▼情報タグとして伝送される該当カテゴリの個数が１バイト（単位はバイト、最大２５６個）で与えられ、▲３▼その個数分のカテゴリを示すカテゴリＩＤが情報タグ情報として伝送される。
【０１４５】
その情報タグは、同図に示す方法で記述され、伝送される方法があるが、他のシンタックスにより伝送する方法としてＭＰＥＧ７国際標準で規定される情報内容記述子を用いて行うこともできる。
【０１４６】
そして、ＭＰＥＧ−７による場合の情報内容記述子としては、例えばインデックスとして記述できる画像及びその特徴をカラーヒストグラムにより示して記述するなど、嗜好対象物である被写体の動きを示す動きベクトルの記述、更には言語シンボルを示す概念的タグの記述も可能とされている。
【０１４７】
これらの記述はＸＭＬ（eXtensible Markup Language：拡張マークアップ言語）の記述言語によりなされ、その言語によりコンテンツのデータとそのタグ情報をリンクした形で記述されるようになされており、情報内容記述子の検索はこのＸＭＬの記述言語に対して行なうことができる。
【０１４８】
これらのＭＰＥＧ７の情報はインターネット上のhttp://drogo.cselt.it/mpegに詳細に記述されており、また情報処理学会誌４１巻２号、２０００年２月号、１７６〜１８２頁にも紹介記事が掲載されている。
【０１４９】
以上、映像信号、ないしは音楽信号の記録機を含む番組信号の記録装置、及び記録した番組信号の消去を行う記録番組制御装置の構成、及び動作について述べた。これらの装置により、ユーザの視聴の好みに応じて記録された多くの番組の内、所定の嗜好レベルの基準を満たさない番組は自動的に探し出されて消去されるため、常に記録装置には嗜好レベルの高い番組のみが記録される機能を有する映像音声情報の記録システムを容易に実現することが出来る。
【０１５０】
即ち、その記録装置は単にネットワークと結合され、嗜好番組信号情報に関る伝送機能を設けることにより、ユーザの視聴の好みが検索抽出され、その抽出された嗜好情報を基に記録番組の嗜好レベルの低い番組が自動的に消去されることにより嗜好レベルの高い番組のみの記録が保存される便利な機能を有する番組信号記録装置を低価格で構成することが出来る。
【０１５１】
それは、このような機能を実現するための自動番組認識機能は、記述された嗜好情報、及び番組に付与された番組情報等に関る、用語、言語解釈が必要であり、そのような知的情報を扱う理想的な自動検索機能はまだ開発途上であり、検索精度も日々進化しているためである。
【０１５２】
そのような開発途上にある技術内容を民生機に搭載すると、その機能が陳腐化しやすく、機器購入者に不便を与えることとなるため、そのような機能はコンシューマー機器には搭載せず、記録情報削除部２０を外部のアプリケーションサービスプロバイダに設置し、そのサービスプロバイダよりネットワーク５０を介してユーザに記録された嗜好レベルの低い番組情報の消去サービスを行うようにすれば、そのサイトの検索アルゴリズムの更新処理はプロバイダの装置に行うだけで良く、それにより多数ユーザの記録装置に記録される番組の嗜好レベルを向上させる機能が搭載されることになる。
【０１５３】
そして、その記録番組の嗜好レベルを更に向上させるためには、アプリケーションプロバイダに設置される記録情報削除部２０の画像テキスチャ認識器２２、音声キーワード認識器２１の検出精度を向上させる、及び番組に付される情報タグ情報の細分化、階層構造化、及び適切なマッピング処理により行えばよい。
【０１５４】
このようなタグ情報の高度化に関しては放送番組を制作する番組制作者、及び番組放送者により行われのが好ましい。そして、特に番組放送が通信線を用いてなされるようなＣＡＴＶ放送である場合は、その通信線を用いることにより視聴者の有する記録機の記録番組の削除操作も行いやすく、番組提供者がユーザに対して番組提供契約を結んで番組の提供を行うと共に、ユーザが自動記録したコンテンツの中でユーザの嗜好レベルの低い番組は放送者がそのユーザと契約を結ぶことによりユーザの嗜好情報を得、放送者がその番組の消去サービスをも番組提供ネットワークを介して行うことは容易に実現できるものである。
【０１５５】
そして、このようにして記録された番組の内、嗜好レベルの高くない番組の消去がなされるため、例えばこのような機能をホームサーバに搭載し、そのホームサーバは設定されて記録されたカテゴリと同一の、又は類似するカテゴリに区分されて放送される番組の記録を開始する。
【０１５６】
またその記録を開始する番組のカテゴリは、過去にユーザが指定した番組記録実績に基づくカテゴリの他に、所定時間以上視聴された番組の番組情報により選定されたカテゴリ、ユーザの番組嗜好情報を基にして選定されたカテゴリなどのカテゴリが選定されて用いられる。
【０１５７】
この様に多くのカテゴリが指定されて番組予約がなされ、多くの番組が記録開始される場合であっても、予め設定されるユーザの番組嗜好情報により、嗜好レベルの高くない番組は消去されるため、又消去サービスがなされるため、記録メディアの空き領域が確保され、嗜好レベルの高い番組の記録に失敗するなどの事故を未然に防ぐことができるものである。
【０１５８】
以上、ユーザ宅にある番組記録機の記録内容を、ユーザの嗜好レベルに応じて消去するサービスについて述べたが、その消去機能を、放送者側に設置する記録装置に対して行い、記録した嗜好レベルの高い番組をＶＯＤ（video on demand）によりユーザに伝送するような応用がある。
【０１５９】
その、例えば「特定の女優」のファンであるようなユーザはＶＯＤをサービスするアプリケーションサービスプロバイダ（ＡＳＰ）に対し、キーワードの「特定の女優」に関するサービスを要求する。
【０１６０】
そのＡＳＰはユーザから要求されるキーワードに対し、画像テキスチャの認識に「特定の女優」の顔データを有して画像テキスチャ認識を行うと共に、「特定の女優」の踊りの動きパターンの動ベクトルも記憶し、又音声キーワード認識器は「特定の女優」の有する音声フォルマント情報を比較データとして有すると共に音声認識により「特定の女優」の名前をキーワードとして検出を行う。
【０１６１】
そのようにしてＡＳＰでは、登録された「特定の女優」というキーワードが用いられて２４時間分の総てのチャンネルで放送されたコンテンツのなかより音声で「特定の女優」と発声されるコンテンツを記録し、その発声が単なる引用であるときは所定時間の中で生じる発声回数は小さいので嗜好レベルの低いコンテンツとして判定を行う。
【０１６２】
反対に、「特定の女優」が出演しているコンテンツであるような場合は単位時間当りに発声される「特定の女優」の回数が多いため、サーバに内蔵されるそのユーザ用の記録ユニットには嗜好レベルの高いコンテンツとしての記録が継続される。
【０１６３】
このようにして、嗜好レベルの高いコンテンツの記録が一段落した段階でそれらのコンテンツはＶＯＤによる専用回線が用いられてユーザに対して伝送され、ユーザはＡＳＰから伝送された嗜好レベルの高いコンテンツを記録機に記録し、視聴することとなる。
【０１６４】
そして、このような機能を搭載したＡＳＰに設置される記録装置には常に最新の番組検索アルゴリズムが搭載されていることにより、ユーザ側で満足な番組視聴が可能となるなど、新たな放送サービスということができる。
【０１６５】
また、そのようなＡＳＰで検索されて得られてる、ユーザ個人の番組嗜好度合いに係る情報を得て記録したコンテンツの消去を行う制御はコンピュータプログラムにより行われるが、そのコンピュータプログラムにより実行される動作は次の通りである。
【０１６６】
すなわち、供給される番組信号に関し、予め予約者の嗜好に基づいて得られた番組嗜好情報に従って番組予約を行い、その予約された番組信号を記録する番組信号の記録を行うためのコンピュータプログラムを、予めユーザの番組嗜好情報に基づいて得られた画像テキスチャ情報が記録される番組信号に含まれているかを認識し、その認識された画像テキスチャの情報量と、予め設定された所定の画像テキスチャ情報量とを比較し、その比較された結果、認識された画像テキスチャの情報量の方が小であるときは記録した番組信号を消去するようにコンピュータを実行させることによりユーザの嗜好レベルの高いコンテンツのみを記録媒体に記録するようにして媒体利用率の高い番組信号の記録方法を実現する。
【０１６７】
そして、画像テキスチャを用いる番組嗜好情報の検出の他に、音声キーワードを用いる方法、及び番組と共に放送、ないしは伝送される記述情報を用いることによリ、同様にして媒体利用率の高い番組信号の記録方法を実現することができる。
【０１６８】
また、そのような画像テキスチャを認識する方法、音声キーワードを検出する方法が十分に確立されていない今日において、その認識ないしは検出をＡＳＰに依頼し、そのＡＳＰで解析して得られた結果を用いてユーザの番組信号記録装置の記録番組に係る消去制御を行うことは有効である。
【０１６９】
そして、このような新たな放送サービスはユーザ個人個人に対して異なる嗜好データ、及び検索結果の予約データはプライバシー保護の観点からも暗号化され、暗号化された情報はＩＤ番号により管理され、これらの情報の漏洩、悪用の防止が行われるものである。
【０１７０】
そのようにして、十分な情報管理のもとでＡＳＰ側でなされる認識ないしは検出はプログラムにより実行されるコンピュータによりなされ、そのＡＳＰ側におけるコンピュータプログラムは次のようになっている。
【０１７１】
即ち、番組の内容に応じて区分けしたカテゴリ情報、及び／又は番組内容に関わる記述情報が付加されて放送側より放送される番組を受信側で受信し、受信側では受信された番組の内所定の前記カテゴリ情報を有する番組を選定して記録を行うと共に、その記録された番組はサービス提供側から供給される前記記録した番組を消去するための番組消去信号を基に前記記録した番組の消去がなされるようになし、前記サービス提供側では、予め受信側より得られた予約者の嗜好に基づく番組嗜好情報を基に、前記受信側で受信されて記録された番組に係る嗜好度を抽出し、その抽出された嗜好度のレベルが所定のレベル以下であるときは受信側で記録された番組を消去するための制御信号を生成し、その生成された制御信号は受信側に供給されて記録された前記番組を消去するようになしている記録番組の制御をコンピュータを実行することにより行うコンピュータプログラムは、伝送路を介して受信側より提供された番組嗜好情報に基づいて記録される番組の、番組嗜好情報に基づく画像テキスチャ、音声キーワード、又は前記記述情報の少なくとも１つが記録される前記番組に含まれているかを認識し、その認識された前記画像テキスチャ、音声キーワード、又は記述情報のレベルが、予め前記番組嗜好情報を基にして設定された所定のレベル以下であるときには、前記記録された番組を消去するための番組消去信号を伝送路を介して受信側に伝送するようにコンピュータを実行して動作させるようになすコンピュータプログラムである。
【０１７２】
以上の様にして、ユーザの嗜好レベルの高いコンテンツのみを記録するための動作を、コンピュータを実行されるためのプログラムを用いて実現することができるが、画像テキスチャ情報の認識、及び音声キーワード情報の認識を行うためには前述の様に、所定の複雑な装置と、嗜好情報を演算して抽出するための所定の実行時間を必要とする。
【０１７３】
そして、画像テキスチャ情報の認識、及び音声キーワード情報の認識を行う第１の目的はユーザの嗜好するアーティストの特定を行うことであるので、出演アーチストの情報を直接所有している放送者が、その出演者情報などを文字コードにより記述して補助チャンネルなどを用いて送出することができれば、ユーザ側ではその文字コード列より直接嗜好いキーワードを検索処理により抽出できるなど、経済的な負担を大きくすることなしにコンテンツに係る嗜好レベルの抽出を行なうことができる。
【０１７４】
そのようなキーワードを伝送するような放送方式は、番組内容を記述した記述情報が付されて供給される番組信号に関し、予め多数の番組予約者が嗜好する番組嗜好情報を代表するキーワードにより分類し、その分類されたキーワードを番組出演者に対応させて番組信号と共に補助情報として伝送するようになすものであり、その伝送される番組出演者毎のキーワードは視聴者により出現回数などが認識されるようになすとともに、番組視聴者側ではその認識された回数が所定の回数以下である場合には視聴者により記録されたコンテンツは視聴後に、ないしは視聴後の所定時間後に自動的に消去を行うためのコンテンツ消去信号を生成するためのものとして用いるためのものであり、そのようなコンテンツの識別に係るキーワード情報が視聴者側に供給され視聴者側ではコンテンツ記録装置に記録されたコンテンツのうち、嗜好レベルの高い番組を除いて記録したコンテンツを自動的に消去するための識別用キーワードとして用いられるものである。
【０１７５】
このようにして、放送者より供給されるキーワード情報を用い、ないしはユーザの嗜好番組に係る画像的す者情報、及び音声キーワード情報を用いることによリ、ユーザ側では従来なされていたよりも多くのコンテンツの記録を行うと共に、記録したコンテンツは視聴後、ないしは視聴した後の所定時間後に、消去を禁止するための操作がなされない限り自動的に消去されるようになし、保存されるコンテンツはユーザの嗜好レベルの高いものだけとされると共に、その消去禁止のための操作を基にしてユーザの嗜好情報は、よりユーザの嗜好と一致度の高い情報に更新されるようになされるものである。
【０１７６】
【発明の効果】
請求項１記載の発明によれば、ユーザの嗜好により予め設定された番組嗜好に関わる情報を基に放送される番組が自動予約されて記録されると共に、所定時間の時間間隔に記録される映像信号の画像テキスチャ情報を得、その得られた画像テキスチャ情報が嗜好する対象であるとするレベルが低いとき、あるいはそのテキスチャ情報が得られないときはその記録中の番組を消去するようにするため、ユーザの嗜好レベルの高い番組のみを記録するための番組信号の記録方法を提供できる効果がある。
【０１７７】
また、請求項２記載の発明によれば、ユーザの嗜好により予め設定された番組嗜好に関わる情報を基に放送される番組が自動予約されて記録されると共に、所定時間の間隔記録される音声信号の音声キーワード情報を得、その得られた音声キーワード情報が嗜好する対象であるとするレベルが低いとき、あるいはその音声キーワード情報が得られないときはその記録中の番組を消去するようにするため、ユーザの嗜好レベルの高い番組のみを記録するための番組信号の記録方法を提供できる効果がある。
【０１７８】
また、請求項３記載の発明によれば、ユーザの嗜好により予め設定された番組嗜好に関わる情報を基に放送される番組が自動予約されて記録されると共に、所定時間間隔に記録される番組信号の内容に関わるコンテンツタグ情報を得、その得られたコンテンツタグ情報が嗜好する対象であるとするレベルが低いとき、あるいは嗜好するコンテンツタグ情報が得られないときはその記録中の番組を消去するようにするため、ユーザの嗜好レベルの高い番組のみを記録するための番組信号の記録方法を提供できる効果がある。
【０１７９】
また、請求項４記載の発明によれば、請求項１〜３に記述する効果に加え、特にユーザにより設定された時間を経過した番組の消去を行なうようにしているため、ユーザの嗜好レベルの低い番組の消去が容易になされ、記録装置にはユーザの嗜好レベルの高い番組のみを蓄積するための番組信号の記録方法を提供できる効果がある。
【０１８０】
また、請求項５記載の発明によれば、請求項１〜３に記述する効果に加え、特にユーザにより記録した番組の消去禁止に係る操作がなされていないときは、その番組の視聴終了後に消去を行なうようにしているため、ユーザの嗜好レベルの低い番組の消去が容易になされ、記録装置にはユーザの嗜好レベルの高い番組のみを蓄積するための番組信号の記録方法を提供できる効果がある。
【０１８１】
また、請求項６記載の発明によれば、請求項１〜３に記述する効果に加え、特にユーザにより記録した番組の消去禁止に係る操作情報を基にして予め設定してある個人嗜好情報の更新を行なうようにしているため、記録装置にはよりユーザの嗜好レベルの高い番組を記録して蓄積するための番組信号の記録方法を提供できる効果がある。
【０１８２】
また、請求項７記載の発明によれば、請求項１〜３に記述する効果に加え、特にユーザによる番組の予約設定はカテゴリのみを指定して行なうことができ、そのカテゴリの設定により複数の番組が予約されて記録が開始されるような場合であっても、その放送番組の画像テキスチャ、音声キーワード、又は番組内容に関わる記述情報を基にユーザの嗜好レベルの低い番組の消去がなされるため、記録装置にユーザの嗜好レベルの高い番組のみを記録するための番組信号の記録方法を提供できる効果がある。
【０１８３】
また、請求項８記載の発明によれば、請求項７記載の発明による効果に加え、特にユーザによる番組予約のためのカテゴリ設定がなされない場合であっても過去に設定されたカテゴリ情報を基に類似するカテゴリの番組が自動的に予約設定されると共に、そのカテゴリ設定により複数の番組が予約されて記録が開始されるような場合であっても、その放送番組の画像テキスチャ、音声キーワード、又は番組内容に関わる記述情報を基にユーザの嗜好レベルの低い番組の消去がなされるため、記録装置にユーザの嗜好レベルの高い番組のみを記録するための番組信号の記録方法を提供できる効果がある。
【０１８４】
また、請求項９記載の発明によれば、放送される番組をユーザが受信して、記録するとき、例えばそのユーザと契約関係にあるサービスプロバイダはその記録される番組のユーザ嗜好レベルを画像テキスチャ、音声キーワード、又は番組内容に関わり付加される記述情報に基づいて認識し、その認識された結果、番組の嗜好度レベルが低い、あるいは番組の嗜好度がないと判断されるとき、サービスプロバイダはユーザは記録した番組の消去を行うための制御信号を伝送する記録番組制御信号の伝送方法を提供できる効果がある。
【０１８５】
また、請求項１０記載の発明によれば、請求項９の効果に加え、特に記録側でなされる、記録された番組信号の消去時間に係る操作を基にして番組消去用の制御信号の生成を行なうようにしているため、嗜好レベルの低い、あるいは嗜好のレベルがないとされる番組の消去を適切に行うための記録番組制御信号の伝送方法を提供できる効果がある。
【０１８６】
また、請求項１１記載の発明によれば、請求項９の効果に加え、特に番組信号が視聴されて前記番組信号の消去に係る消去禁止操作がなされたときは、前記記録側より前記消去禁止操作に係る操作情報を得ると共に、その消去禁止操作がなされた番組信号に係り検出された番組嗜好情報を、過去にユーザ側より提供された番組嗜好情報に追加するようにしているため、ユーザ側で嗜好レベルの高い番組のみの蓄積を好適に行うための記録番組制御信号の伝送方法を提供できる効果がある。
【０１８７】
また、請求項１２記載の発明によれば、請求項９の効果に加え、サービスプロバイダと放送事業者は共通の伝送路を用いて番組の供給、及び記録された嗜好レベルの低い、あるいは嗜好のレベルがないとされる番組の消去を行うことができるため、ユーザが使用する通信路は１本で良く、簡易な受信装置により通信コストを削減した録画番組の消去を行うための記録番組制御信号の伝送方法を提供できる効果がある。
【図面の簡単な説明】
【図１】本発明の好適な第１の実施例による映像音声情報の記録システムの概略の構成を示す図である。
【図２】嗜好情報伝送フォーマット例を示す説明図である。
【図３】嗜好データの伝送フォーマット例を示す図である。
【図４】キーワードデータの伝送フォーマット例を示す図である。
【図５】コンテンツを種別コード１により分類して例示したものである。
【図６】種別コード１である映画、ドラマを種別コード２により更に分類して例示したものである。
【図７】種別コード５である子供、青少年向けコンテンツを種別コード２により更に分類して例示したものである。
【図８】種別コード７である芸術、教養コンテンツを種別コード２により更に分類して例示したものである。
【図９】嗜好コードに対する嗜好データの内容を例示したものである。
【図１０】詳細番組情報データベースに関る情報項目を例示したものである。
【図１１】詳細番組情報データベースに記憶される番組内容を例示したものである。
【図１２】個人予約情報として伝送される嗜好番組信号のデータフォーマットを例示した図である。
【図１３】情報タグ検出器を用いた第２の実施例による映像音声情報の記録システムの構成例を示す図である。
【図１４】本発明の第３の実施例による映像音声情報の記録システムの概略の構成を示す図である。
【図１５】本発明の第４の実施例による映像音声情報の記録システムの概略の構成を示す図である。
【図１６】画像テクスチャ認識器の構成例を示す説明図である。
【図１７】音声キーワード認識器の構成例を示す図である。
【図１８】情報タグを記述するためのシンタックスを例示した図である。
【符号の説明】
１０  記録部
１１  ユーザインタフェース
１２  表示器
１３  記録再生機
１４  嗜好情報発生器
１５  予約器
２０、２０ａ  記録情報消去部
２１  音声キーワード認識器
２２  画像テクスチャ認識器
２３  情報タグ検出器
２４  ＣＰＵ
２５  保持削除パラメータメモリ
２６  タイマー
２７  削除器
３０  番組検索部
３１  番組検索器
４０  データベース部
４０ａ  サービス業者
４１  個人嗜好情報データベース
４２  番組情報データベース
４３  放送受信機
４４  詳細番組情報データベース
４５  ＥＰＧ受信機
５０  データバス
２１１  ヘッダ検出器
２１２  ＶＬＣ（ＦＬＣ）復号器
２１３  ＡＣ値、ＤＣ値検出器
２１４  周波数特性検出器
２１５  音圧検出器
２１６  音声特徴データベース
２１７  特徴量比較器
２１８  音声判別器
２２１  ヘッダ検出器
２２２  ＶＬＣ（ＦＬＣ）復号器
２２３  ＤＣ値、ＡＣ値、動きベクトル値検出器
２２４ａ  輪郭検出器
２２４ｂ  周波数帯検出器
２２４ｃ  色検出器
２２４ｄ  動き量検出器
２２５  画像特徴データベース
２２６  特徴量比較器
２２７  画像判別器
【図１】
0003888575.tif 000002
【図２】
0003888575.tif 000003
【図３】
0003888575.tif 000004
【図４】
0003888575.tif 000005
【図５】
0003888575.tif 000006
【図６】
0003888575.tif 000007
【図７】
0003888575.tif 000008
【図８】
0003888575.tif 000009
【図９】
0003888575.tif 000010
【図１０】
0003888575.tif 000011
【図１１】
0003888575.tif 000012
【図１２】
0003888575.tif 000013
【図１３】
0003888575.tif 000014
【図１４】
0003888575.tif 000015
【図１５】
0003888575.tif 000016
【図１６】
0003888575.tif 000017
【図１７】
0003888575.tif 000018
【図１８】
0003888575.tif 000019